(57)【要約】      （修正有）【課題】構造が簡単で、取付けが便利なフリップ式ホットランナシステムを提供する。【解決手段】フリップ式ホットランナシステムにおいて、マニホールド３内には、ランナが設けられ、マニホールド３には、ホットノズル７が設けられている。取付板１の背面には、マニホールド３が固定されたマニホールド取付溝２が設けられ、取付板１の正面には、シリンダ１０が取り付けられたシリンダ取付溝９及びメイン射出ノズル１２が設けられたメイン射出ノズル取付溝１１が設けられている。メイン射出ノズル１２は、ランナと連通され、シリンダ１０は、ホットノズル７の針弁８と接続されている。【選択図】図１
0003205080.tif 000002
【実用新案登録請求の範囲】
【請求項１】
マニホールド及び１つの取付板を備えたフリップ式ホットランナシステムであって、
前記マニホールド内には、ランナが設けられ、
前記マニホールドには、ホットノズルが設けられ、
前記取付板の背面には、前記マニホールドが固定されたマニホールド取付溝が設けられ、
前記取付板の正面には、シリンダが取り付けられたシリンダ取付溝及びメイン射出ノズルが設けられたメイン射出ノズル取付溝が設けられ、前記メイン射出ノズルは、前記ランナと連通され、前記シリンダ取付溝は、前記ノズルの位置に対応し、前記シリンダは、前記ホットノズルの針弁と接続されていることを特徴とするフリップ式ホットランナシステム。
【請求項２】
前記マニホールド取付溝内には、回転防止ピンが設けられ、
前記マニホールドには、前記回転防止ピンの位置に対応する差込口が設けられていることを特徴とする請求項１に記載のフリップ式ホットランナシステム。
【請求項３】
前記メイン射出ノズルと前記ランナとは連通され、センターリングが設けられていることを特徴とする請求項１に記載のフリップ式ホットランナシステム。
【請求項４】
前記マニホールドは、ボルトを介して前記取付板と接続されていることを特徴とする請求項１に記載のフリップ式ホットランナシステム。
【請求項５】
前記ホットノズルと前記マニホールドとは、ネジ接続されていることを特徴とする請求項１に記載のフリップ式ホットランナシステム。
【請求項６】
前記マニホールドには、熱電対が設けられ、  前記熱電対は、前記マニホールドの底側に位置することを特徴とする請求項１に記載のフリップ式ホットランナシステム。
【請求項７】
前記シリンダは、高温用通気ホースを介して電磁弁と接続されていることを特徴とする請求項１に記載のフリップ式ホットランナシステム。
【請求項８】
前記高温用通気ホースは、急速継手を介して前記電磁弁及び前記シリンダと接続されていることを特徴とする請求項７に記載のフリップ式ホットランナシステム。
【考案の詳細な説明】
【技術分野】
【０００１】
本考案は、ホットランナシステム分野に関し、特に、フリップ方式で取り付けられたホットランナシステムに関する。
【背景技術】
【０００２】
ホットランナ（ｈｏｔ  ｒｕｎｎｅｒ）は、射出成形金型の中で使用されるものであり、溶解されたプラスチックを金型のキャビティにおける加熱モジュールに注入する。ホットランナシステムは、通常ホットノズル、マニホールド、温度制御箱及び付属品等の複数の部品を組み合わせて構成されている。従来のホットランナシステムでは、取付板として、  ３プレートが採用されている。ホットノズルを取り付ける際に、ホットノズルフランジと金型との嵌合部に鉛丹を塗布して、ホットノズルを底板のホットノズルフレーム内に挿入し、位置を調整した後に、ホットノズルフランジと金型とが完全に嵌合するまで銅棒で軽く叩く。次に、ホットノズルを抜き出し、鉛丹を観察することによって、型開き工程（特にホットノズルと金型のパーティング面との嵌合箇所）が要件を満たしているか否かを判断する。問題がない場合、上記ステップに従ってホットノズルを取り付けた後に、フランジから型板までの高さを測定して、点配置に基づいてすべてのデータを記録する。ホットノズルの取付が完了し、さらに寸法の確認が完了した後に、シールリング及び他の部品を取り付けるか否かを確認する。ホットノズルの取付が完了した後に、マニホールドを取り付ける際、マニホールドを平らに配置し、十字穴付ネジを用いてマニホールドを固定し、マニホールドから型板の表面までの高さを多点測定する。マニホールドの固定平衡が要求される。最後に、蓋板を取り付け、ガスケットを取り付けた後に、蓋板の底面及びガスケット面に鉛丹を塗布し、蓋板を閉め、蓋板が堅固に閉まるように銅棒で叩く。クレーンで蓋板を再び吊り上げ、マニホールドにおける鉛丹の印の状況を確認することで、蓋板がマニホールドを堅固に押し付けているか否かを判断する。問題がないと確認した後に、蓋板を再び閉め、ネジでロックする。
【０００３】
上記ホットランナシステムは、以下の欠陥を有する。
１、ホットランナシステムの取付板として、３プレートが採用されることで、加工が煩雑であり、各板の厚さの誤差を合計すると、寸法の精確さを確保することができない。
２、型板の数量が多いため、着脱するのに時間や労力がかかる。
３、ホットランナシステムのホットノズルは、面と面との圧迫接続方式で接続されているため、プラスチックが漏洩しやすい。
４、ホットランナシステムにおいて、表面熱電対を交換する際に、システムの型板を取り外さなければならないため、メンテナンスが不便である。
【考案の概要】
【考案が解決しようとする課題】
【０００４】
上記従来技術の欠陥に鑑みて、本考案の目的は、構造が簡単で、取付が便利なフリップ式ホットランナシステムを提供することである。
【課題を解決するための手段】
【０００５】
上記目的及び他の関連目的を実現するために、本考案に係るフリップ式ホットランナシステムは、マニホールド及び１つの取付板を備えている。前記マニホールド内には、ランナが設けられ、前記マニホールドには、ホットノズルが設けられている。前記取付板の背面には、前記マニホールドが固定されたマニホールド取付溝が設けられ、前記取付板の正面には、シリンダが取り付けられたシリンダ取付溝及びメイン射出ノズルが設けられたメイン射出ノズル取付溝が設けられ、前記メイン射出ノズルは、前記ランナと連通され、前記シリンダ取付溝は、前記ノズルの位置に対応し、前記シリンダは、前記ホットノズルの針弁と接続されている。
【０００６】
前記マニホールド取付溝内には、回転防止ピンが設けられ、前記マニホールドには、前記回転防止ピンの位置に対応する差込口が設けられていることが好ましい。
【０００７】
前記メイン射出ノズルと前記ランナとは連通され、センターリングが設けられていることが好ましい。
【０００８】
前記マニホールドは、ボルトを介して前記取付板と接続されていることが好ましい。
【０００９】
前記ホットノズルと前記マニホールドとは、ネジ接続されていることが好ましい。
【００１０】
前記マニホールドには、熱電対が設けられ、前記熱電対は、前記マニホールドの底側に位置することが好ましい。
【００１１】
前記シリンダは、高温用通気ホースを介して電磁弁と接続されていることが好ましい。
【００１２】
前記高温用通気ホースは、急速継手を介して前記電磁弁及び前記シリンダと接続されていることが好ましい。
【考案の効果】
【００１３】
上述した本考案に係るフリップ式ホットランナシステムは、以下の効果を奏する。本考案に係るホットランナシステムによれば、１つの取付板だけを使用してマニホールド、ホットノズル、シリンダ及びメイン射出ノズルを取り付けることで、ホットランナシステムの構造が効果的に簡素化され、さらに、ホットランナシステムの取付を便利且つ迅速に行うことができ、生産効率が効果的に向上する。ホットランナシステムの固定板として、上記のような取付板を採用することで、型板の重ね合せによって生じる誤差が減少する。型板の数量が減少し、加工、包装及び運輸等のコストも削減される。また、上記構造を採用したホットランナシステムは、脱着が非常に便利であり、ホットランナシステムに対するメンテナンスもより便利である。
【図面の簡単な説明】
【００１４】
【図１】本考案に係る実施形態の構成概略図である。
【考案を実施するための形態】
【００１５】
以下、特定された具体的な実施形態によって、本考案の実施形態について説明する。当業者は、本明細書に記載された内容から本考案の他の利点及び効果について容易に理解することができる。
【００１６】
図１に示す構成、比率、大きさ等のすべては、明細書の記載内容に合わせるためだけに用いられ、当業者が理解及び閲覧するために提供するものであり、本考案が実施可能な条件を限定するものではない。従って、技術上の実質的な意味を有せず、いかなる構造の修飾、比率関係の変更又は大きさの調整は、本考案が生成した効果及び実現した目的に影響を与えない限り、すべては本考案に記載された技術的内容が包括する範囲内に属すことが理解されたい。また、本明細書で用いられる用語（例えば“上”、“下”、“左”、“右”、“中間”及び“一”等の用語）は、本考案を説明しやすくするためだけのものであり、本考案の実施可能な範囲を限定するものではない。これらの相対関係の変更又は調整は、技術的内容を実質的に変更しない前提の下で、本考案の実施可能な範囲内であるとみなされるべきである。
【００１７】
図１に示すように、本考案に係るフリップ式ホットランナシステムは、１つの取付板１を備えている。取付板１の正面には、シリンダ取付溝９及びメイン射出ノズル取付溝１１が設けられている。取付板１の背面には、マニホールド取付溝２が設けられている。当該ホットランナシステムは、フリップ方式で取り付けられている。取付の際に、まず、取付板１の背面を上方に向けさせ、それからマニホールド３をマニホールド取付溝２内に取り付け、さらに、ボルト４を介して固定させる。マニホールド３には、ランナが設けられている。マニホールド３の精確な位置決めを実現するために、マニホールド取付溝２内に回転防止ピン５を設けると共に、マニホールド３に回転防止ピン５の位置に対応する差込口を設けている。マニホールド３を取り付ける際に、回転防止ピン５を差込口内に直接に差し込むことによって、マニホールドに対する精確な位置決めが実現される。
【００１８】
マニホールド３を取り付ける際に、ホットノズル７をマニホールド３に取り付ける。ホットノズル７内には、針弁８が取り付けられている。ホットノズル７とマニホールド３とは、ネジ接続されている。これによって、システムにプラスチックが漏洩するという問題を有効に回避することができる。マニホールド３には、熱電対６がさらに配置されている。熱電対６は、マニホールド３の底側に位置している。これによって、マニホールド３及び熱電対に対するメンテナンスが便利になる。固定しやすくするために、取付板１には、金型固定ネジ１３がさらに設けられている。
【００１９】
マニホールド３を取り付けた後に、取付板１を反転させ、取付板１の正面のメイン射出ノズル取付溝１１内に、メイン射出ノズル１２をマニホールド３におけるランナと連通するように取り付ける。メイン射出ノズル１２の位置決めを容易にするために、メイン射出ノズル１２とランナとには、センターリング１４が設けられている。シリンダ取付溝９内にシリンダ１０を取り付ける。シリンダ取付溝９は、ホットノズル７の位置に対応している。シリンダ１０は、ホットノズル７内の針弁８と接続されている。これによって、シリンダ１０は、針弁８の開閉を制御することができる。シリンダ１０は、高温用通気ホースを介して電磁弁と接続されている。高温用通気ホースは、急速継手を介して電磁弁及びシリンダ１０と接続されている。これによって、高温用通気ホースの交換が便利になる。また、このような構造を採用することで、取付板１に空気通路を設ける必要がない。従って、取付板１の加工がより簡単であり、精度に対する要求がなく、取付板の加工コストが削減される。
【００２０】
本考案に係るホットランナシステムによれば、１つの取付板だけを使用してマニホールド、ホットノズル、シリンダ及びメイン射出ノズルを取り付けることで、ホットランナシステムの構造が効果的に簡素化され、さらに、ホットランナシステムの取付を便利且つ迅速に行うことができ、生産効率が効果的に向上する。ホットランナシステムの固定板として、上記のような取付板を採用することで、型板の重ね合せによって生じる誤差が減少する。型板の数量が減少し、加工、包装及び運輸等のコストも削減される。また、上記構造を採用したホットランナシステムは、脱着が非常に便利であり、ホットランナシステムに対するメンテナンスもより便利である。従って、本考案は、従来技術の様々な欠陥を克服し、産業上高い利用価値を有する。
【００２１】
上記の実施形態は、本考案の原理及び効果を例示的に説明するものであり、本考案を限定するものではない。任意の当業者は、本考案の精神及び範囲から逸脱しない限り、上記の実施形態についての修飾又は改変を行うことができる。従って、当業者が、本考案に記載された精神及び技術的思想から逸脱しない前提で完成させた同様効果の修飾又は改変のすべては、本実用新案登録請求の範囲に包括されるべきである。
【符号の説明】
【００２２】
１  取付板
２  マニホールド取付溝
３  マニホールド
４  ボルト
５  回転防止ピン
６  熱電対
７  ホットノズル
８  針弁
９  シリンダ取付溝
１０  シリンダ
１１  メイン射出ノズル取付溝
１２  メイン射出ノズル
１３  金型固定ネジ
１４  センターリング
【図１】
0003205080.tif 000003
【手続補正書】
【提出日】平成28年5月9日(2016.5.9)
【手続補正１】
【補正対象書類名】実用新案登録請求の範囲
【補正対象項目名】全文
【補正方法】変更
【補正の内容】
【実用新案登録請求の範囲】
【請求項１】
マニホールド及び１つの取付板を備えたフリップ式ホットランナシステムであって、
前記マニホールド内には、ランナが設けられ、
前記マニホールドには、ホットノズルが設けられ、
前記取付板の背面には、前記マニホールドが固定されたマニホールド取付溝が設けられ、
前記取付板の正面には、シリンダが取り付けられたシリンダ取付溝及びメイン射出ノズルが設けられたメイン射出ノズル取付溝が設けられ、前記メイン射出ノズルは、前記ランナと連通され、前記シリンダ取付溝は、前記ホットノズルの位置に対応し、前記シリンダは、前記ホットノズルの針弁と接続されていることを特徴とするフリップ式ホットランナシステム。
【請求項２】
前記マニホールド取付溝内には、回転防止ピンが設けられ、
前記マニホールドには、前記回転防止ピンの位置に対応する差込口が設けられていることを特徴とする請求項１に記載のフリップ式ホットランナシステム。
【請求項３】
前記メイン射出ノズルと前記ランナとは連通され、センターリングが設けられていることを特徴とする請求項１に記載のフリップ式ホットランナシステム。
【請求項４】
前記マニホールドは、ボルトを介して前記取付板と接続されていることを特徴とする請求項１に記載のフリップ式ホットランナシステム。
【請求項５】
前記ホットノズルと前記マニホールドとは、ネジ接続されていることを特徴とする請求項１に記載のフリップ式ホットランナシステム。
【請求項６】
前記マニホールドには、熱電対が設けられ、  前記熱電対は、前記マニホールドの底側に位置することを特徴とする請求項１に記載のフリップ式ホットランナシステム。
【請求項７】
前記シリンダは、高温用通気ホースを介して電磁弁と接続されていることを特徴とする請求項１に記載のフリップ式ホットランナシステム。
【請求項８】
前記高温用通気ホースは、急速継手を介して前記電磁弁及び前記シリンダと接続されていることを特徴とする請求項７に記載のフリップ式ホットランナシステム。
【手続補正２】
【補正対象書類名】明細書
【補正対象項目名】０００５
【補正方法】変更
【補正の内容】
【０００５】
上記目的及び他の関連目的を実現するために、本考案に係るフリップ式ホットランナシステムは、マニホールド及び１つの取付板を備えている。前記マニホールド内には、ランナが設けられ、前記マニホールドには、ホットノズルが設けられている。前記取付板の背面には、前記マニホールドが固定されたマニホールド取付溝が設けられ、前記取付板の正面には、シリンダが取り付けられたシリンダ取付溝及びメイン射出ノズルが設けられたメイン射出ノズル取付溝が設けられ、前記メイン射出ノズルは、前記ランナと連通され、前記シリンダ取付溝は、前記ホットノズルの位置に対応し、前記シリンダは、前記ホットノズルの針弁と接続されている。